(57)【要約】【課題】「手をかざす」だけのバイオメトリクス認証を実現し、データベース検索レスポンスの早い会員認証システムを提供するもので有る。【解決手段】予め会員登録データベースに登録された会員情報を基に会員認証を行なう会員認証システムであって、会員のバイオメトリクス情報を会員情報とともに当日データベースに登録することで当日パスポートを発行する当日パスポート発行手段と、発行されたパスポートを基に会員のバイオメトリクス認証を行なう会員認証手段とを有することを特徴とする会員認証システム。【選択図】図１
2006053752.tif 000002
【特許請求の範囲】
【請求項１】
予め会員登録データベースに登録された会員情報を基に会員認証を行なう会員認証システムであって、
会員のバイオメトリクス情報を会員情報とともに当日データベースに登録することで当日パスポートを発行する当日パスポート発行手段と、
発行されたパスポートを基に会員のバイオメトリクス認証を行なう会員認証手段とを有することを特徴とする会員認証システム。
【請求項２】
当日パスポート発行手段は、
会員番号を入力する会員番号入力手段と、
入力された会員番号を基に会員登録データベースから、会員情報を取得する会員情報取得手段と、
会員のバイオメトリクス情報を読取るバイオメトリクス情報読取り手段と、
取得された会員情報と読取られたバイオメトリクス情報とを結合して、当日データベースに登録する当日データベース登録手段とを有することを特徴とする請求項１記載の会員認証システム。
【請求項３】
当日パスポート発行手段は、
会員番号を入力する会員番号入力手段と、
入力された会員番号を基に会員登録データベースから、会員情報を取得する会員情報取得手段と、
会員のバイオメトリクス情報を読取るバイオメトリクス情報読取り手段と、
取得された会員情報と読取られたバイオメトリクス情報とを結合して、当日データベースに登録する当日データベース登録手段と、
読取られたバイオメトリクス情報と当日データベースに登録されているバイオメトリクス情報とを比較して所定の類似率以上のバイオメトリクス情報を検索する類似情報検索手段と、
検索した結果、所定の類似率以上のバイオメトリクス情報が検索されなかったときには、新たなグループ番号を生成し、検出されたときには、検出されたバイオメトリクス情報の会員情報に付与されているグループ番号を取得するグループ番号生成取得手段と、
生成または取得されたグループ番号を当日データベースに登録した会員情報に付加するグループ番号付加手段とを有することを特徴とする請求項１記載の会員認証システム。
【請求項４】
会員認証手段は、
バイオメトリクス情報を読取るバイオメトリクス情報読取り手段と、
読取られたバイオメトリクス情報と当日データベースに登録されたバイオメトリクス情報とを比較するバイオメトリクス情報比較手段と、
比較結果が一致するときには、認証可の情報を出力する認証結果出力手段とを有することを特徴とする請求項１記載の会員認証システム。
【請求項５】
会員認証手段が、
バイオメトリクス情報を読取るバイオメトリクス情報読取り手段と、
読取られたバイオメトリクス情報と当日データベースに登録されたバイオメトリクス情報とを比較し、所定の類似率以上のバイオメトリクス情報を有する会員情報を少なくとも１つ検索する会員情報検索手段と、
検索された会員情報のグループ番号を抽出するグループ番号抽出手段と、
抽出されたグループ番号を有するバイオメトリクス情報を当日データベースから候補者データとして取得する候補者データ取得手段と、
取得された候補者データと読取られたバイオメトリクス情報とを比較する候補者データ比較手段と、
比較した結果、候補者データの中に一致するものがあるときには、認証可の情報を出力する認証結果出力手段とを有することを特徴とする請求項３記載の会員認証システム。
【発明の詳細な説明】
【技術分野】
【０００１】
本発明は会員認証システムに関するものであり、大規模な会員認証システムで会員認証を高価なハード機器に頼らず高速で可能とし、会員暗証番号等の併用無しでバイオメトリクス認証を可能とする会員認証システムに関する。
【背景技術】
【０００２】
従来、トータリゼータシステムの場合、競技場に来場する各競技場のファンクラブ等の会員が、個人投票端末、パソコン等の高価機器の貸出しを受けるときには、ＩＣカード等の会員証の他に運転免許証を提示して本人認証を受けている。
【０００３】
また、公営競技の投票のため、共同利用端末を会員共同で利用する場合、会員の認証を短時間で処理するため、加入者番号とパスワードが書き込まれたＩＣカードを共同利用端末のカードリーダーに挿入すると、そのデータが読み取られ、コンピュータシステムへ送信され、利用者の認証が行われている。（例えば特許文献１）
【特許文献１】特開２００３−１４１２９４号公報（第５頁）
【発明の開示】
【発明が解決しようとする課題】
【０００４】
このような会員システムでは、会員の本人認証を簡単、確実、迅速に実施する必要が有るが、その方法として、ＩＣカードの利用の他に、「静脈認証」、「指紋認証」等のバイオメトリクス認証などの利用が考えられる。
【０００５】
この場合には、ＩＣカード等の会員証に会員情報が書き込まれているので、まず認証時にはＩＣカード等を挿入する。次に、手をかざしてなどのバイオメトリクス認証を行なう。そして、ＩＣカード等を受け取る等の手順が会員には必要とされる。このような認証方法では、操作が多く面倒である。
【０００６】
また、競技場としては、ＩＣカード等の取り忘れ、当日にＩＣカード等などを持参するのを忘れたファンの対応等に問題がある。
【０００７】
また、バイオメトリクス認証情報等を含めたデータベース検索は、バイオメトリクス情報のデータ量が大きいため、処理が重く、高速レスポンスを実現するには、高価なハード機器が必要となる問題が有る。
【０００８】
本発明は、本人認証の際に、ＩＣカード等の媒体を不要とし、「手をかざす」等のバイオメトリクス認証のみで本人認証を実現し、またデータベース検索レスポンスの早い会員認証システムを提供するもので有る。
【課題を解決するための手段】
【０００９】
本願発明の会員認証システムは、
予め会員登録データベースに登録された会員情報を基に会員認証を行なう会員認証システムであって、会員のバイオメトリクス情報を会員情報とともに当日データベースに登録することで当日パスポートを発行する当日パスポート発行手段と、発行されたパスポートを基に会員のバイオメトリクス認証を行なう会員認証手段とを有する構成である。
【００１０】
この構成により、会員のバイオメトリクス情報を搭載した必要最小限のデータベースが構築されているため、バイオメトリクス認証による操作性の向上と認証の処理時間の短縮が図れる。
【００１１】
また、当日パスポート発行手段は、会員番号を入力する会員番号入力手段と、入力された会員番号を基に会員登録データベースから、会員情報を取得する会員情報取得手段と、会員のバイオメトリクス情報を読取るバイオメトリクス情報読取り手段と、取得された会員情報と読取られたバイオメトリクス情報とを結合して、当日データベースに登録する当日データベース登録手段とを有する構成である。
【００１２】
この構成により、当日データベースに会員情報とバイオメトリクス情報を登録することで、会員のバイオメトリクス情報を常時保持する必要がなくなるため、必要最小限のデータベースを構築できる。
【００１３】
また当日パスポート発行手段は、会員番号を入力する会員番号入力手段と、入力された会員番号を基に会員登録データベースから、会員情報を取得する会員情報取得手段と、会員のバイオメトリクス情報を読取るバイオメトリクス情報読取り手段と、取得された会員情報と読取られたバイオメトリクス情報とを結合して、当日データベースに登録する当日データベース登録手段と、
読取られたバイオメトリクス情報と当日データベースに登録されているバイオメトリクス情報とを比較して所定の類似率以上のバイオメトリクス情報を検索する類似情報検索手段と、検索した結果、所定の類似率以上のバイオメトリクス情報が検索されなかったときには、新たなグループ番号を生成し、検出されたときには、検出されたバイオメトリクス情報の会員情報に付与されているグループ番号を取得するグループ番号生成取得手段と、生成または取得されたグループ番号を当日データベースに登録した会員情報に付加するグループ番号付加手段とを有する構成である。
【００１４】
この構成により、当日パスポートのグループ番号検索により、当日データベースからの検索が更に高速な認証が可能となる。
【００１５】
また、会員認証手段は、バイオメトリクス情報を読取るバイオメトリクス情報読取り手段と、読取られたバイオメトリクス情報と当日データベースに登録されたバイオメトリクス情報とを比較するバイオメトリクス情報比較手段と、比較結果が一致するときには、認証可の情報を出力する認証結果出力手段とを有する構成である。
【００１６】
この構成により、会員のバイオメトリクス認証により、本人認証を行なえるため、利用者の操作性が向上する。
【００１７】
また、会員認証手段が、バイオメトリクス情報を読取るバイオメトリクス情報読取り手段と、読取られたバイオメトリクス情報と当日データベースに登録されたバイオメトリクス情報とを比較し、所定の類似率以上のバイオメトリクス情報を有する会員情報を少なくとも１つ検索する会員情報検索手段と、検索された会員情報のグループ番号を抽出するグループ番号抽出手段と、抽出されたグループ番号を有するバイオメトリクス情報を当日データベースから候補者データとして取得する候補者データ取得手段と、取得された候補者データと読取られたバイオメトリクス情報とを比較する候補者データ比較手段と、比較した結果、候補者データの中に一致するものがあるときには、認証可の情報を出力する認証結果出力手段とを有する構成である。
【００１８】
この構成により、規定値以上の類似率をもつバイオメトリクス情報がグループ化され、グループ番号が付与されているため、まず規定の類似率以上のバイオメトリクス情報をもつグループ番号を当日データベースの中から捜すという第１次の抽出を行なう。１つでも見つかれば、そのグループ番号を基に、同一グループ番号のバイオメトリクス情報を抽出する第２次の抽出を行なう。このような抽出方法をとることで、当日データベースに登録されているバイオメトリクス情報のすべてと比較する必要がなくなり、効率的に認証が行なえるので、認証の処理時間が短縮できる。
【発明の効果】
【００１９】
本発明を使用する事により、「手をかざす」などだけで公営競技場などでの各種サービスを簡単に受けられる。また、データベース検索のレスポンス時間が短くなる。
【発明を実施するための最良の形態】
【００２０】
【実施例１】
【００２１】
図１に、実施例の会員認証システムの構成図を示す。
【００２２】
会員認証システム１は、会員登録システム２と認証端末３を有する。
【００２３】
また、会員登録システム２は、スキャナ２１、バイオメトリクスリーダ２２、サーバ２３、ラベルプリンタ２４を有する。
【００２４】
認証端末３は、照会ＰＣ（パーソナルコンピュータ）３１、バイオメトリクスリーダ２２を有する。
【００２５】
スキャナ２１は、運転免許証などの会員登録希望者の身元証明のための資料を読み込む装置である。
【００２６】
バイオメトリクスリーダ２２は、非接触で手のひらの静脈パターンを読み込む等、個人の体の特徴を読み取るための装置である。
【００２７】
サーバ２３は、会員登録データベース、当日データベースを有し、会員登録、当日パスポートの発行、認証端末３からのＬＡＮ経由で本人認証などを処理する装置である。
【００２８】
会員登録データベースは、会員の氏名、住所、顔写真等の会員情報を登録しているデータベースである。
【００２９】
当日データベースは、当日の会員情報とバイオメトリクス情報、機器の貸出し情報などを登録しているデータベースである。
【００３０】
ラベルプリンタ２４は、会員証等を印刷する装置である。
【００３１】
照会ＰＣ３１は、個人端末の貸出し、返却等のときの個人認証等の処理をするために、会員登録システム２に照会するための装置である。
【００３２】
本発明の概要は、次のようである。
【００３３】
会員認証システム１には、会員登録データベースと当日データベースとを有している。
【００３４】
新規会員は、会員登録データベースに個人情報を会員情報として新規登録し会員証の発行を受ける。
【００３５】
そして、当日の認証用のパスポートが必要な場合は、バイオメトリクス情報の登録を行い、会員登録データベースから当日データベースに会員情報をコピーし、バイオメトリクス情報を追加する。これにより、当日データベースには会員情報とバイオデータがリンクされ構成される。
【００３６】
これにより、当日パスポートの発行が完了する。
【００３７】
また、既にファンクラブの会員で、当日パスポートが必要な会員は、会員証の提示を行う。
【００３８】
そして、会員番号を基に、会員登録データベースで本人確認後、バイオメトリクス情報の登録を行い、会員登録データベースから当日データベースに会員情報をコピーし、バイオメトリクス情報を追加する。これにより、当日データベースには会員情報とバイオデータがリンクされ構成される。これにより、当日パスポートの発行が完了する。
【００３９】
このように、会員登録データベースをバイオメトリクス情報なしで構成することで、データベースをコンパクトに構成出来る。
【００４０】
また、バイオメトリクス情報を当日登録するので、体調に合わせた最新の情報に出来る。
【００４１】
但し、バイオメトリクス認証の情報を会員登録データベースにも反映し、２回目以降はバイオメトリクス情報の登録を不要とする方法もある。
【００４２】
当日パスポート利用時には、バイオメトリクス情報のみを使用する。すなわち、本人認証のために読取ったバイオメトリクス情報と当日データベース上のバイオメトリクス情報と比較することで、本人を認証する。ＩＣカードなどの他の認証用の媒体を使用しない。
【００４３】
この仕組みにより、必要最小限のデータベースが構築されているため、認証の処理時間が短縮できる。また、ＩＣカード等の操作の必要が無く、簡単に手をかざす等だけのバイオメトリクス認証を実現する事が出来る。
【００４４】
図２に、会員登録処理の説明図を示す。
【００４５】
まず、顧客は、新規会員登録したいときは、公営競技場などの会員認証事務所に行き、運転免許証をオペレータに提示する。
【００４６】
オペレータは、運転免許証を会員登録システム２のスキャナ２１で読み取り(S11ステップ)後、顧客に返却する。                                                      
【００４７】
次に、会員登録システム２は、読み取った情報から、氏名、住所、顔写真等の会員情報を抽出する(S12ステップ)。
【００４８】
次に、会員登録データベースに新規の「個人情報」を会員情報として追加し会員番号を発行する(S13ステップ)。
【００４９】
次に、会員証をラベルプリンタを使用して発行し(S14ステップ)、発行された会員証を顧客に渡す。会員証には、顧客番号、氏名等が印刷されている。
【００５０】
図３に、当日パスポート発行例の説明図を示す。
【００５１】
まず、顧客は、会員認証事務所に行き、「会員証」を提出して、当日パスポートの発行を依頼する。
【００５２】
オペレータは、会員証記載の会員番号を見て、サーバ２３に、会員番号を入力する(S21ステップ)。
【００５３】
会員番号が入力されると、サーバ２３は、会員登録システム２の会員登録データベースを検索する(S22ステップ)。
【００５４】
検索により、該当する会員番号の会員情報を抽出すると、照会ＰＣ３１のオペレータ画面に、会員の個人情報を表示する(S23ステップ)。
【００５５】
次に、オペレータは、個人情報の中の顔写真を用いて、本人確認を実施する(S24ステップ)。
【００５６】
本人との一致がとれた場合には、当日パスポートの発行のため、顧客にバイオメトリクス認証のための登録を依頼する。
【００５７】
そして、バイオメトリクス情報登録処理が行われる(S25ステップ)。
【００５８】
また、本人確認が、不一致の場合には、処理を終了する。
【００５９】
図４にバイオメトリクス情報登録処理の説明図を示す。
【００６０】
顧客が、バイオメトリクスリーダに手をかざすと、手のひらの静脈パターン情報などバイオメトリクス情報が読み取られ、会員登録システム２に送信される(S31ステップ)。
【００６１】
対応する会員登録データベースの会員情報にバイオメトリクス情報とを結合する(S32ステップ)。
【００６２】
そして、当日データベースに結合情報を登録する(S33ステップ)。
【００６３】
当日データベースのバイオメトリクス情報比較処理をする(S34ステップ)。
【００６４】
類似率規定以上の会員ありか否かを確認する(S35ステップ)。
【００６５】
会員ありを検出した場合には、検出した会員情報のグループ番号を処理中の会員の会員情報に付加する(S36ステップ)。
【００６６】
類似率規定以上の会員がいない場合には、処理中の会員の会員情報に新規にグループ番号を付加する(S37ステップ)。
【００６７】
これにより、当日パスポートの発行が完了する。
【００６８】
このように、当日パスポートの発行とは、当日データベースへの登録を意味する。
【００６９】
図５に、当日パスポートの利用の説明図を示す。
【００７０】
まず、顧客は、例えば、公営競技の投票のための個人端末借用または返却のため、会員認証事務所の個人端末貸出し窓口で「返却」か「貸出し」かを申請する。
【００７１】
オペレータは、機器貸出しメニューを表示させ、貸出しまたは返却かを照会ＰＣ３１に指定する(S41ステップ)。
【００７２】
次に、認証端末３は、サーバ２３と送受信を行い会員認証処理を行なう(S42ステップ)。
【００７３】
図６に、認証端末の会員認証処理の説明図を示す。
【００７４】
まず、顧客は、当日パスポートの提示を行なう。
【００７５】
すなわち、手のひら等のバイオメトリクス情報をバイオメトリクスリーダ２２で読取る(S51ステップ)。
【００７６】
そのデータは、会員登録システム２のサーバ２３に送信される(S52ステップ)。
【００７７】
会員登録システム２のサーバ２３で認証処理が完了すると、サーバ２３から候補会員データを受信する(S53ステップ)。
【００７８】
候補会員データは、同一グループ番号を持つバイオメトリクス情報の集合である。但し、候補会員データとして該当なしのデータも送られてくる場合はある。
【００７９】
候補会員データか否かを確認する(S54ステップ)。
【００８０】
候補会員データなしの場合には、認証不可を表示して終了する(S60ステップ)。
【００８１】
候補会員データ有りの場合には、読取り情報と候補データとを比較する(S55ステップ)。
【００８２】
完全一致である場合には、認証可表示をする(S57ステップ)。
【００８３】
一致しない場合には、残候補データの有無を確認する(S58ステップ)。
【００８４】
残候補データがある場合には、S55ステップへ戻る。
【００８５】
残候補データがない場合には、認証不可を表示して終了する(S59ステップ)。
【００８６】
一方、サーバ２３は、認証端末３と送受信を行い会員認証処理を行う(図５のS43ステップ)。
【００８７】
図７に、サーバの会員認証処理の説明図を示す。
【００８８】
認証端末３からのバイオメトリクス情報を受信する(S61ステップ)。
【００８９】
当日データベースのバイオメトリクス情報を逐次比較検索する(S62ステップ)。
【００９０】
類似率規定以上の会員の有無を確認する(S63ステップ)。
【００９１】
最小１件検出した時に比較処理終了する(S64ステップ)。
【００９２】
検出された会員のグループ番号を当日データベースから抽出し、次に、同一のグループ番号を持つ会員のバイオメトリクス情報をデータベースの中から検索実施し、該当情報を抽出して候補会員データとする(S65ステップ)。
【００９３】
候補会員データを認証端末に送信する(S66ステップ)。
【００９４】
類似率規定以上の会員でない場合には、全会員終了か否かを確認する(S67ステップ)。
【００９５】
全会員終了でなければ、S62ステップへ戻る。
【００９６】
全会員終了であれば、候補会員データなしを認証端末に送る(S68ステップ)。
【００９７】
サーバの会員認証処理を終了する。
【００９８】
次に、認証処理の結果、認証可の場合は、貸出しまたは返却かを確認する(図５のS44ステップ)。
【００９９】
貸出しの場合には、会員認証が認証可のため個人端末を顧客に貸し出す。
【０１００】
そして、オペレータが貸出し済キーを押下すると、会員情報に貸出し情報を付加して会員登録システム２に送信される。そして当日データベースの該当会員情報に貸付情報が付加される(S45ステップ)。
【０１０１】
また、返却の場合には、会員認証が認証可のため顧客から個人端末を受領する。
【０１０２】
そして、オペレータが、返却済キーを押下すると、会員情報に貸出し削除情報を付加して会員登録システム２に送信される。そして当日データベースの該当会員情報から貸出し情報が削除される(S46ステップ)。
【０１０３】
このような方法により、必要最小限のデータベースが構築されているため、認証の処理時間が短縮できる。また、ＩＣカード等の操作の必要が無く、簡単に手をかざす等だけのバイオメトリクス認証を実現する事が出来る。
【０１０４】
以上の実施例１を含む実施形態に関し、更に以下の付記を開示する。
(付記１) 予め会員登録データベースに登録された会員情報を基に会員認証を行なう会員認証システムであって、会員のバイオメトリクス情報を会員情報とともに当日データベースに登録することで当日パスポートを発行する当日パスポート発行手段と、発行されたパスポートを基に会員のバイオメトリクス認証を行なう会員認証手段とを有することを特徴とする会員認証システム。
(付記２)  当日パスポート発行手段は、会員番号を入力する会員番号入力手段と、入力された会員番号を基に会員登録データベースから、会員情報を取得する会員情報取得手段と、会員のバイオメトリクス情報を読取るバイオメトリクス情報読取り手段と、取得された会員情報と読取られたバイオメトリクス情報とを結合して、当日データベースに登録する当日データベース登録手段とを有することを特徴とする付記１記載の会員認証システム。
(付記３)  当日パスポート発行手段は、会員番号を入力する会員番号入力手段と、入力された会員番号を基に会員登録データベースから、会員情報を取得する会員情報取得手段と、会員のバイオメトリクス情報を読取るバイオメトリクス情報読取り手段と、取得された会員情報と読取られたバイオメトリクス情報とを結合して、当日データベースに登録する当日データベース登録手段と、読取られたバイオメトリクス情報と当日データベースに登録されているバイオメトリクス情報とを比較して所定の類似率以上のバイオメトリクス情報を検索する類似情報検索手段と、検索した結果、所定の類似率以上のバイオメトリクス情報が検索されなかったときには、新たなグループ番号を生成し、検出されたときには、検出されたバイオメトリクス情報の会員情報に付与されているグループ番号を取得するグループ番号生成取得手段と、生成または取得されたグループ番号を当日データベースに登録した会員情報に付加するグループ番号付加手段とを有することを特徴とする付記１記載の会員認証システム。
(付記４)  会員認証手段は、バイオメトリクス情報を読取るバイオメトリクス情報読取り手段と、読取られたバイオメトリクス情報と当日データベースに登録されたバイオメトリクス情報とを比較するバイオメトリクス情報比較手段と、比較結果が一致するときには、認証可の情報を出力する認証結果出力手段とを有することを特徴とする付記１記載の会員認証システム。
(付記５)  会員認証手段が、バイオメトリクス情報を読取るバイオメトリクス情報読取り手段と、読取られたバイオメトリクス情報と当日データベースに登録されたバイオメトリクス情報とを比較し、所定の類似率以上のバイオメトリクス情報を有する会員情報を少なくとも１つ検索する会員情報検索手段と、検索された会員情報のグループ番号を抽出するグループ番号抽出手段と、抽出されたグループ番号を有するバイオメトリクス情報を当日データベースから候補者データとして取得する候補者データ取得手段と、取得された候補者データと読取られたバイオメトリクス情報とを比較する候補者データ比較手段と、比較した結果、候補者データの中に一致するものがあるときには、認証可の情報を出力する認証結果出力手段とを有することを特徴とする付記３記載の会員認証システム。
(付記６)  予め会員登録データベースに登録された会員情報を基に会員認証を行なう会員認証方法であって、会員のバイオメトリクス情報を会員情報とともに当日データベースに登録することで当日パスポートを発行する当日パスポート発行ステップと、発行されたパスポートを基に会員のバイオメトリクス認証を行なう会員認証ステップとを有することを特徴とする会員認証方法。
(付記７)  当日パスポート発行ステップは、会員番号を入力する会員番号入力ステップと、入力された会員番号を基に会員登録データベースから、会員情報を取得する会員情報取得ステップと、会員のバイオメトリクス情報を読取るバイオメトリクス情報読取りステップと、取得された会員情報と読取られたバイオメトリクス情報とを結合して、当日データベースに登録する当日データベース登録ステップとを有することを特徴とする付記６記載の会員認証方法。
(付記８)   当日パスポート発行ステップは、会員番号を入力する会員番号入力ステップと、入力された会員番号を基に会員登録データベースから、会員情報を取得する会員情報取得ステップと、会員のバイオメトリクス情報を読取るバイオメトリクス情報読取りステップと、取得された会員情報と読取られたバイオメトリクス情報とを結合して、当日データベースに登録する当日データベース登録ステップと、読取られたバイオメトリクス情報と当日データベースに登録されているバイオメトリクス情報とを比較して所定の類似率以上のバイオメトリクス情報を検索する類似情報検索ステップと、検索した結果、所定の類似率以上のバイオメトリクス情報が検索されなかったときには、新たなグループ番号を生成し、検出されたときには、検出されたバイオメトリクス情報の会員情報に付与されているグループ番号を取得するグループ番号生成取得ステップと、生成または取得されたグループ番号を当日データベースに登録した会員情報に付加するグループ番号付加ステップとを有することを特徴とする付記６記載の会員認証方法。
(付記９)  会員認証ステップは、バイオメトリクス情報を読取るバイオメトリクス情報読取りステップと、読取られたバイオメトリクス情報と当日データベースに登録されたバイオメトリクス情報とを比較するバイオメトリクス情報比較ステップと、比較結果が一致するときには、認証可の情報を出力する認証結果出力ステップとを有することを特徴とする付記６記載の会員認証方法。
(付記１０)  会員認証ステップが、バイオメトリクス情報を読取るバイオメトリクス情報読取りステップと、読取られたバイオメトリクス情報と当日データベースに登録されたバイオメトリクス情報とを比較し、所定の類似率以上のバイオメトリクス情報を有する会員情報を少なくとも１つ検索する会員情報検索ステップと、検索された会員情報のグループ番号を抽出するグループ番号抽出ステップと、抽出されたグループ番号を有するバイオメトリクス情報を当日データベースから候補者データとして取得する候補者データ取得ステップと、取得された候補者データと読取られたバイオメトリクス情報とを比較する候補者データ比較ステップと、比較した結果、候補者データの中に一致するものがあるときには、認証可の情報を出力する認証結果出力ステップとを有することを特徴とする付記８記載の会員認証方法。
【産業上の利用可能性】
【０１０５】
本発明は、公営競技場等のファンクラブ等の会員を管理する会員認証システムを提供する用途に適用できる。
【図面の簡単な説明】
【０１０６】
【図１】実施例の会員認証システムの構成図
【図２】会員登録処理の説明図
【図３】当日パスポート発行例の説明図
【図４】バイオメトリクス情報登録処理の説明図
【図５】当日パスポート利用の説明図
【図６】認証端末の会員認証処理の説明図
【図７】会員登録システムの会員認証処理の説明図
【符号の説明】
【０１０７】
１    会員認証システム
２    会員登録システム
３    認証端末
２１    スキャナ
２２    バイオメトリクスリーダ
２３    サーバ
２４    ラベルプリンタ
３１    照会ＰＣ
【図１】
2006053752.tif 000003
【図２】
2006053752.tif 000004
【図３】
2006053752.tif 000005
【図４】
2006053752.tif 000006
【図５】
2006053752.tif 000007
【図６】
2006053752.tif 000008
【図７】
2006053752.tif 000009